(57)【要約】【課題】  吸込部を流通する吸込空気に対する抵抗を抑えるとともに、同吸込部から内部構造が見えないようにした吸込グリルを設けてなるフロアスタンド型の空気調和機を提供する。【解決手段】  前面パネルに形成した段部または凹部２の側面を開口して吸込部３を設け、同吸込部３の長手方向に対して直交する多数の桟４を配置した吸込グリル５を設けてなる空気調和機において、前記桟４は吸込空気の主流方向に対し前後および、または左右に傾斜させた板形状でなる構成にした。【選択図】  図２
2008151479.tif 000002
【特許請求の範囲】
【請求項１】
前面パネルに形成した段部または凹部の側面を開口して吸込部を設け、同吸込部の長手方向に対して直交する多数の桟を配置した吸込グリルを設けてなる空気調和機において、
前記桟は吸込空気の主流方向に対し前後および、または左右に傾斜させた板形状でなることを特徴とする空気調和機。
【請求項２】
前記桟は同一方向に傾斜させてなることを特徴とする請求項１に記載の空気調和機。
【請求項３】
前記桟の一辺は吸込空気の主流方向に対し前後に傾斜させてなることを特徴とする請求項１または請求項２に記載の空気調和機。
【請求項４】
前記桟の一端は前記吸込部の周縁から離間させてなることを特徴とする請求項１乃至請求項３の何れかに記載の空気調和機。
【発明の詳細な説明】
【技術分野】
【０００１】
本発明は、フロアスタンド型の空気調和機に係わり、より詳細には、吸込空気に対する抵抗を抑えるとともに、吸込部から内部構造が見えないようにした吸込グリルを備えた構造に関する。
【背景技術】
【０００２】
従来のフロアスタンド型の空気調和機に用いられる吸込グリルは、図６（Ａ）乃至図６（Ｄ）に示すように、前面パネル１の両側部に縦長形状の段部２を形成するとともに、同段部２の側面を開口した吸込部３を設け、同吸込部３に多数の桟４を水平状に配置した吸込グリル５を設け、同吸込グリル５の上位部に吹出グリル６を設けてなる空気調和機が開示されていた（例えば、特許文献１参照。）。
【０００３】
前記桟４は前記吸込部３の上下に水平状に配置された構成であることから、同吸込部３を流通する空気抵抗を抑えることができる一方、同吸込部３から内部構造が見えやすくなって意匠性を損ねるという問題点を有していた。
【特許文献１】意匠登録番号１１８００１９号公報
【発明の開示】
【発明が解決しようとする課題】
【０００４】
そこで、本発明は上述した課題を解決するためになされたものであって、その目的は、吸込部を流通する吸込空気に対する抵抗を抑えるとともに、同吸込部から内部構造が見えないようにした吸込グリルを設けてなるフロアスタンド型の空気調和機を提供することにある。
【課題を解決するための手段】
【０００５】
上述した目的を達成するため、本発明は以下に示す特徴を備えている。
【０００６】
前面パネルに形成した段部または凹部の側面を開口して吸込部を設け、同吸込部の長手方向に対して直交する多数の桟を配置した吸込グリルを設けてなる空気調和機において、
前記桟は吸込空気の主流方向に対し前後および、または左右に傾斜させた板形状でなることを特徴としている。
【０００７】
また、前記桟は同一方向に傾斜させてなることを特徴としている。
【０００８】
また、前記桟の一辺は吸込空気の主流方向に対し前後に傾斜させてなることを特徴としている。
【０００９】
また、前記桟の一端は前記吸込部の周縁から離間させてなることを特徴としている。
【発明の効果】
【００１０】
本発明によれば、吸込グリルの桟が吸込空気の主流方向に対し前後および、または左右の同一方向に傾斜させた板形状でなり、また、同桟の一端を吸込部の周縁から離間させたことにより、同吸込部から内部構造が見えないように視線を遮ることができるとともに、該箇所を流通する吸込空気の抵抗を抑えることができるようにしたフロアスタンド型の空気調和機となる。
【発明を実施するための最良の形態】
【００１１】
次に、本発明の実施形態について図面を参照しながら説明する。
【００１２】
図１は本発明によるフロアスタンド型の空気調和機の説明図で、（Ａ）は一例を示す外観斜視図、（Ｂ）は他の例を示す外観斜視図、（Ｃ）は縦断面図であり、図２は本発明によるフロアスタンド型の実施例１による空気調和機を示す説明図で、（Ａ）は要部斜視図、（Ｂ）は要部正面図、（Ｃ）は（Ｂ）に示すＢ−Ｂ’断面図、（Ｄ）は（Ｂ）に示すＡ−Ａ’断面図であり、図３は本発明によるフロアスタンド型の実施例２による空気調和機を示す説明図で、（Ａ）は一例として示す要部斜視図、（Ａ’）は他の例として示す要部斜視図、（Ｂ）は要部正面図、（Ｃ）は（Ｂ）に示すＢ−Ｂ’断面図、（Ｄ）は（Ｂ）に示すＡ−Ａ’断面図であり、図４は本発明によるフロアスタンド型の実施例３による空気調和機を示す説明図で、（Ａ）は要部斜視図、（Ｂ）は要部正面図、（Ｃ）は（Ｂ）に示すＢ−Ｂ’断面図、（Ｄ）は（Ｂ）に示すＡ−Ａ’断面図であり、図５は本発明によるフロアスタンド型の実施例４による空気調和機を示す説明図で、（Ａ）は要部斜視図、（Ｂ）は要部正面図、（Ｃ）は（Ｂ）に示すＢ−Ｂ’断面図、（Ｄ）は（Ｂ）に示すＡ−Ａ’断面図である。
【００１３】
本発明に係るフロアスタンド型の空気調和機は、図１（Ａ）乃至図１（Ｃ）に示すように、前面パネル１の下位部に上下に延びる凹部２（または段部でもよい）を形成するとともに、同凹部２の側面を開口してなる吸込部３を設け、同吸込部３の長手方向に対して直交する多数の桟４を配置した吸込グリル５を構成しており、同吸込グリル５の内側には、フィルタ７および送風機８などが設けられている。
【００１４】
前記前面パネル１の上位部には、前記吸込グリル５を備えた吸込部３から送風機８によって吸い込まれ、フィルタ７を通して塵埃が除去されたのち、下部にドレンパン１０を備えた熱交換器９によって熱交換された空気を被空調室に吹き出す吹出グリル６を設けた構成になっている。
【００１５】
前記凹部２は、一例として図１（Ａ）に示すように、前記前面パネル１に平行状態で複数設けられた構成であってもよく、または他の例として図１（Ｂ）に示すように、前記前面パネル１の左右中央部に単数設けられた構成であってもよい。
【００１６】
その場合、一例および他の例として示した前記凹部２は、同凹部２の底面を平坦にした構成にしてもよく、または、同凹部２の底面を前記吸込部３に向けて少許低くなるように傾斜させることで、前記前面パネル１の意匠性に特徴をもたせるとともに吸込空気の流れが円滑になるような構成にしてもよい。
【００１７】
なお、前記吸込部３は、一例として図１（Ａ）に示した複数の前記凹部２の一側面を夫々開口した構成にしてもよく、他の例として図１（Ｂ）に示した前記凹部２の両側面を夫々開口した構成にしてもよい。
【００１８】
また、前記吸込部３は、前記吹出グリル６から下方に離間した位置に設けられるとともに、同吹出グリル６から前方に吹き出される吹出空気の吹出方向とは異なり、吸込空気が横方向から吸い込まれる構成になっているので、前記吹出グリル６からの吹出空気が前記吸込部３に直接吸い込まれてしまうことがないようにして、所謂ショートサーキットの現象を生じさせないようになっている。
【実施例１】
【００１９】
ここで、実施例１として示す図２（Ａ）乃至図２（Ｄ）に基づいて、前記吸込部３の長手方向に対して直交する多数の桟４を配置した前記吸込グリル５について詳細に説明する。
【００２０】
前記桟４は、図２（Ｄ）に示すように矩形状に形成された構成になっており、また、図２（Ａ）および図２（Ｂ）に示すように、吸込空気の主流方向である前記吸込部３の奥行き方向に対し前端４ａが低くなるように傾斜させており、これによって、前記吸込部３から前記フィルタ７や前記送風機８などの内部構造が見えないように視線を遮ることができるようになっている。
【００２１】
また、前記桟４は、吸込空気の主流方向である前記吸込部３の奥行き方向に対し前端４ａが低くなるように傾斜させることによって、上方に設けられた前記吹出グリル６に向かう吸込空気に対する抵抗を抑えることができるようになり、また、図２（Ａ）乃至図２（Ｃ）に示すように、前記凹部２の底面側となる左右方向の一側４ｂが高くなるように傾斜させることによって、前記吸込部３から前記フィルタ７や前記送風機８などの内部構造が見えないように効果的に視線を遮ることができるようになる。
【実施例２】
【００２２】
次に、実施例２として示す図３（Ａ）乃至図３（Ｄ）に基づいて、前記吸込部３の長手方向に対して直交する多数の桟４を配置した前記吸込グリル５について詳細に説明する。
【００２３】
前記桟４は、図３（Ａ）および図３（Ｄ）に示すように、吸込空気の主流方向である前記吸込部３の奥行き方向に前端４ａを傾斜させて略三角形状に形成された構成になっており、また、図３（Ａ）および図３（Ｂ）に示すように、吸込空気の主流方向である前記吸込部３の奥行き方向に対し前端４ａが低くなるように傾斜させており、これによって、前記桟４による空気抵抗を抑えることができるとともに、前記吸込部３から前記フィルタ７や前記送風機８などの内部構造が見えないように視線を遮ることができるようになっている。
【００２４】
また、前記桟４は、図３（Ａ）’に示すように、前端４ａを円弧状に形成して、吸込空気の主流方向である前記吸込部３の奥行き方向に傾斜させた構成にしてもよく、これによって、前記桟４による空気抵抗を抑えることができるようになり、且つ前記吸込部３から前記フィルタ７や前記送風機８などの内部構造が見えないように視線を遮ることができるようになる。
【実施例３】
【００２５】
また、実施例３として示す図４（Ａ）乃至図４（Ｄ）に基づいて、前記吸込部３の長手方向に対して直交する多数の桟４を配置した前記吸込グリル５について詳細に説明する。
【００２６】
前記桟４は、図４（Ｄ）に示すように矩形状に形成された構成になっており、また、図４（Ａ）および図４（Ｂ）に示すように、吸込空気の主流方向である前記吸込部３の奥行き方向に対し前端４ａが低くなるように傾斜させ、且つ図４（Ａ）、図４（Ｃ）および図４（Ｄ）に示すように、前記吸込部３を構成する前記凹部２の底面側と前記桟４の一側４ｂとの間を離間部ａにより離間させ、これによって、該箇所を流通する空気の抵抗を効果的に抑えることができるようにしている。
【００２７】
なお、前記離間部ａは、前記凹部２の底面側と前記桟４の一側４ｂとの間に設けるのではなく、図示はしないが、同桟４の他側となる前記前面パネル１側に設ける構成にしてもよい。
【実施例４】
【００２８】
また、実施例４として示す図５（Ａ）乃至図５（Ｄ）に基づいて、前記吸込部３の長手方向に対して直交する多数の桟４を配置した前記吸込グリル５について詳細に説明する。
【００２９】
前記桟４は、図５（Ｄ）に示すように、吸込空気の主流方向である前記吸込部３の奥行き方向に前端４ａを傾斜させて略三角形状に形成された構成になっており、また、図５（Ａ）および図５（Ｂ）に示すように、吸込空気の主流方向である前記吸込部３の奥行き方向に対し前端４ａが低くなるように傾斜させ、且つ図５（Ａ）、図５（Ｃ）および図５（Ｄ）に示すように、前記吸込部３を構成する前記凹部２の底面側と前記桟４の一側４ｂとの間を離間部ａにより離間させ、これによって、前記桟４による空気抵抗を効果的に抑えることができるとともに、内部構造が見えないように視線を遮ることができるようにしている。
【００３０】
なお、前記離間部ａは実施例３において説明したのと同様に、前記凹部２の底面側と前記桟４の一側４ｂとの間に設けるのではなく、図示はしないが、同桟４の他側となる前記前面パネル１側に設ける構成にしてもよい。
【００３１】
また、前記桟４は、吸込空気の主流方向である前記吸込部３の奥行き方向に対し前端４ａが低くなるように傾斜させるとともに、図５（Ａ）乃至図５（Ｃ）に示すように、前記凹部２の底面側となる左右方向の一側４ｂが高くなるように傾斜させることによって、内部構造が見えないように効果的に視線を遮ることができるようになり、且つ吸込空気に対する抵抗を抑えることができるようになる。
【図面の簡単な説明】
【００３２】
【図１】本発明によるフロアスタンド型の空気調和機の説明図で、（Ａ）は一例を示す外観斜視図であり、（Ｂ）は他の例を示す外観斜視図であり、（Ｃ）は縦断面図である。
【図２】本発明によるフロアスタンド型の実施例１による空気調和機を示す説明図で、（Ａ）は要部斜視図であり、（Ｂ）は要部正面図であり、（Ｃ）は（Ｂ）に示すＢ−Ｂ’断面図であり、（Ｄ）は（Ｂ）に示すＡ−Ａ’断面図である。
【図３】本発明によるフロアスタンド型の実施例２による空気調和機を示す説明図で、（Ａ）は一例として示す要部斜視図であり、（Ａ’）は他の例として示す要部斜視図であり、（Ｂ）は要部正面図であり、（Ｃ）は（Ｂ）に示すＢ−Ｂ’断面図、（Ｄ）は（Ｂ）に示すＡ−Ａ’断面図である。
【図４】本発明によるフロアスタンド型の実施例３による空気調和機を示す説明図で、（Ａ）は要部斜視図であり、（Ｂ）は要部正面図、（Ｃ）は（Ｂ）に示すＢ−Ｂ’断面図であり、（Ｄ）は（Ｂ）に示すＡ−Ａ’断面図である。
【図５】本発明によるフロアスタンド型の実施例４による空気調和機を示す説明図で、（Ａ）は要部斜視図であり、（Ｂ）は要部正面図、（Ｃ）は（Ｂ）に示すＢ−Ｂ’断面図であり、（Ｄ）は（Ｂ）に示すＡ−Ａ’断面図である。
【図６】従来例によるフロアスタンド型の空気調和機の説明図で、（Ａ）は正面図であり、（Ｂ）は右側面図であり、（Ｃ）は（Ａ）に示すＡ−Ａ’断面図であり、（Ｄ）は（Ａ）に示すＢ−Ｂ’断面図であり、（Ｅ）は（Ａ）に示すＣ−Ｃ’断面図である。
【符号の説明】
【００３３】
１  前面パネル
２  凹部（段部）
３  吸込部
４  桟
４ａ  前端
４ｂ  一側
５  吸込グリル
６  吹出グリル
７  フィルタ
８  送風機
９  熱交換器
１０  ドレンパン
ａ  離間部
【図１】
2008151479.tif 000003
【図２】
2008151479.tif 000004
【図３】
2008151479.tif 000005
【図４】
2008151479.tif 000006
【図５】
2008151479.tif 000007
【図６】
2008151479.tif 000008